(57)【要約】【課題】カード決済の利便性を損なうことなく、カードの使いすぎを抑制し、カードを安心して利用させること。【解決手段】カード作成装置１２０は、カード会員が所有する少なくとも１枚の第１のカードを特定するカード情報を読み取り、第１のカードの暗証番号の入力および自己設定限度額に関する情報の入力を受け付ける。そして、入力された暗証番号を照合し、照合された結果、暗証番号が一致した場合に、第１のカードのカード情報、入力された暗証番号および自己設定限度額に関する情報に基づいて、第１のカードとは別の第２のカードを作成するとともに、第２のカードに関する情報を、カード会社サーバ１１０へ送信する。【選択図】図１
2010277498.tif 000002
【特許請求の範囲】
【請求項１】
カード会員が所有する少なくとも１枚のカード（以下「第１のカード」という）を特定するカード情報を読み取るカード情報読取手段と、
前記第１のカードの暗証番号の入力を受け付ける暗証番号入力手段と、
前記第１のカードの利用限度額の範囲内で利用可能な金額に関する情報の入力を受け付ける利用可能金額情報入力手段と、
前記暗証番号を照合する暗証番号照合手段と、
前記暗証番号照合手段によって照合された結果、前記暗証番号が一致した場合に、前記第１のカードのカード情報、前記暗証番号および前記利用可能な金額に関する情報に基づいて、前記カード会員が前記利用限度額の範囲内で利用可能な、前記第１のカードとは別の第２のカードを作成するカード作成手段と、
前記カード作成手段によって作成された第２のカードに関する情報を、カード会社サーバへ送信する送信手段と、
を備えたことを特徴とするカード作成装置。
【請求項２】
前記第２のカードの有効期限に関する情報の入力を受け付ける有効期限情報入力手段を備え、
前記カード作成手段は、前記有効期限に関する情報に基づいて、当該有効期限においてのみ利用可能な前記第２のカードを作成することを特徴とする請求項１に記載のカード作成装置。
【請求項３】
前記第２のカードでの利用が可能な有効加盟店に関する情報の入力を受け付ける有効加盟店情報入力手段を備え、
前記カード作成手段は、前記有効加盟店に関する情報に基づいて、当該有効加盟店においてのみ利用可能な前記第２のカードを作成することを特徴とする請求項１または２に記載のカード作成装置。
【請求項４】
前記第２のカードでの利用が可能な有効地域に関する情報の入力を受け付ける有効地域情報入力手段を備え、
前記カード作成手段は、前記有効地域に関する情報に基づいて、当該有効地域においてのみ利用可能な前記第２のカードを作成することを特徴とする請求項１または２に記載のカード作成装置。
【請求項５】
前記第１のカードの暗証番号とは異なる前記第２のカードの暗証番号の入力を受け付ける第２の暗証番号入力手段と、
前記カード作成手段は、前記第２のカードの暗証番号が入力された場合のみまたは前記第１のカードの暗証番号と前記第２のカードの暗証番号の両方が入力された場合のみ利用可能な前記第２のカードを作成することを特徴とする請求項１〜４のいずれか一つに記載のカード作成装置。
【請求項６】
前記カード作成手段は、
前記第２のカードの所定の記録領域に所定のデータを書き込む書込手段と、
前記第２のカードの少なくとも片面に、所定の文字または画像を印刷する印刷手段と、
からなることを特徴とする請求項１〜５のいずれか一つに記載のカード作成装置。
【請求項７】
さらに、前記第２のカードに書き込まれた所定のデータを消去する消去手段を備えたことを特徴とする請求項６に記載のカード作成装置。
【請求項８】
請求項１〜７のいずれか一つに記載のカード作成装置を備えた、あるいは当該カード作成装置が接続可能なことを特徴とする携帯型通信端末装置。
【請求項９】
カード情報読取手段と、暗証番号入力手段と、利用可能金額情報入力手段と、暗証番号照合手段と、カード作成手段と、送信手段と、を備えたカード作成装置が実行するカード作成方法であって、
前記カード情報読取手段が、カード会員が所有する少なくとも１枚のカード（以下「第１のカード」という）を特定するカード情報を読み取るカード情報読取工程と、
前記暗証番号入力手段が、前記第１のカードの暗証番号の入力を受け付ける暗証番号入力工程と、
前記利用可能金額情報入力手段が、前記第１のカードの利用限度額の範囲内で利用可能な金額に関する情報の入力を受け付ける利用可能金額情報入力工程と、
前記暗証番号照合手段が、前記暗証番号を照合する暗証番号照合工程と、
前記カード作成手段が、前記暗証番号照合工程によって照合された結果、前記暗証番号が一致した場合に、前記第１のカードのカード情報、前記暗証番号および前記利用金額に関する情報に基づいて、前記カード会員が前記利用金額の範囲内で利用可能な、前記第１のカードとは別の第２のカードを作成するカード作成工程と、
前記送信手段が、前記カード作成工程によって作成された第２のカードに関する情報を、カード会社サーバへ送信する送信工程と、
を含んだことを特徴とするカード作成方法。
【請求項１０】
カード情報読取手段と、暗証番号入力手段と、利用可能金額情報入力手段と、暗証番号照合手段と、カード作成手段と、送信手段と、を備えたカード作成装置に実行させるためのカード作成プログラムであって、
前記カード情報読取手段が、カード会員が所有する少なくとも１枚のカード（以下「第１のカード」という）を特定するカード情報を読み取るカード情報読取工程と、
前記暗証番号入力手段が、前記第１のカードの暗証番号の入力を受け付ける暗証番号入力工程と、
前記利用可能金額情報入力手段が、前記第１のカードの利用限度額の範囲内で利用可能な金額に関する情報の入力を受け付ける利用可能金額情報入力工程と、
前記暗証番号照合手段が、前記暗証番号を照合する暗証番号照合工程と、
前記カード作成手段が、前記暗証番号照合工程によって照合された結果、前記暗証番号が一致した場合に、前記第１のカードのカード情報、前記暗証番号および前記利用金額に関する情報に基づいて、前記カード会員が前記利用金額の範囲内で利用可能な、前記第１のカードとは別の第２のカードを作成するカード作成工程と、
前記送信手段が、前記カード作成工程によって作成された第２のカードに関する情報を、カード会社サーバへ送信する送信工程と、
を実行させることを特徴とするカード作成プログラム。
【発明の詳細な説明】
【技術分野】
【０００１】
この発明は、カードの利用を支援するカード作成装置、携帯型通信端末装置、カード作成方法およびカード作成プログラムに関する。
【背景技術】
【０００２】
近年、クレジットカードなどのカードを利用したカード決済が広く普及している。カード決済は、たとえば「１ヶ月の利用限度額が５０万円」などのように、所定期間ごとに定められた利用限度額（与信限度額、与信枠）の範囲内でおこなうことができる。この利用限度額は、たとえばカード会員の年収などに基づき、カードの発行に際して、カードの発行元であるカード会社などによってあらかじめ設定される。
【０００３】
従来、たとえば利用者が自らクレジットカードの利用限度額を設定することで、より安全なクレジットカードの管理方法を実現するようにした技術があった（たとえば、下記特許文献１を参照。）。
【０００４】
また、従来、クレジットカード会員の現在の可処分所得の範囲にてクレジットカード利用限度額を設定し、さらにクレジットカード正会員が家族会員の利用限度額を設定することができるようにすることで、クレジットカード利用限度額を適正に設定することができるようにした技術があった（たとえば、下記特許文献２を参照。）。
【先行技術文献】
【特許文献】
【０００５】
【特許文献１】特開２００２−３５２１６８号公報
【特許文献２】特開２００６−５９１９３号公報
【発明の概要】
【発明が解決しようとする課題】
【０００６】
しかしながら、利用限度額は、たとえばカード会員の年収などに基づいて設定される。具体的には、利用限度額は、たとえば高額商品の購入時や急な支払いが生じた場合などを想定して、カード会員の支払い能力に見合った金額の上限額に近い金額に設定されていることが多い。このため、利用限度額は必ずしもカードの所有者が確実に支払うことができる金額ではない場合があり、定められた期日に利用金額を支払うことができないカード会員がいるという現状があった。
【０００７】
多くのカード会員は、毎月のカード決済の利用額が利用限度額を超えるようなことはなく、毎月のカード決済の利用額は利用限度額よりも十分に低い。このため、平時であれば、カードの発行時に設定された利用限度額よりも少額の利用限度額に設定しなおしたとしても支障なくカードを利用することができるカード会員も多い。
【０００８】
一方で、カード決済は、上記のように高額商品の購入を含む想定外の急な支払いが生じた場合に決済を成立させることができるということが利便性の１つとして挙げられる。このようなことから、たとえば毎月の支払いが確実にできるように、カードの発行時に設定されるこれまでの利用限度額よりも少額の利用限度額を設定すると、急な高額決済など、カード決済の必要が生じた場合に決済を成立させることができず、カードを所有しているにもかかわらず、カード決済の利便性を十分に発揮させることができなくなってしまうことが危惧される。
【０００９】
また、上述した特許文献１に記載された従来の技術においては、自らが設定した利用限度額を上回ってカード決済を利用したい状況が生じても、自らが設定した利用限度額より高額の決済であればカード決済を利用することができない。この場合、高額商品の購入時や急な支払いが生じる度にいちいち現金を用意しなくてはならず、カードを所有しているにもかかわらず、カード決済の利便性を十分に発揮させることができないという問題があった。
【００１０】
また、上述した特許文献２に記載された従来の技術では、クレジットカード会員の家族などあらかじめ登録された家族会員の利用限度額を制限するものであり、カード会員本人の使いすぎを制限するものではないという問題があった。また、上述した特許文献２に記載された従来の技術では、家族会員のクレジットカードの発行に際しての手間がかかるため煩わしく、また発行を申請してから手元に届くまでに時間がかかってしまうという問題があった。
【００１１】
この発明は、上述した従来技術による問題点を解消するため、カード決済の利便性を損なうことなく、カードの使いすぎを抑制し、カードを安心して利用させることができるカード作成装置、携帯型通信端末装置、カード作成方法およびカード作成プログラムを提供することを目的とする。
【課題を解決するための手段】
【００１２】
上述した課題を解決し、目的を達成するため、この発明にかかるカード作成装置は、カード会員が所有する少なくとも１枚のカード（以下「第１のカード」という）を特定するカード情報を読み取るカード情報読取手段と、前記第１のカードの暗証番号の入力を受け付ける暗証番号入力手段と、前記第１のカードの利用限度額の範囲内で利用可能な金額に関する情報の入力を受け付ける利用可能金額情報入力手段と、前記暗証番号を照合する暗証番号照合手段と、前記暗証番号照合手段によって照合された結果、前記暗証番号が一致した場合に、前記第１のカードのカード情報、前記暗証番号および前記利用可能な金額に関する情報に基づいて、前記カード会員が前記利用限度額の範囲内で利用可能な、前記第１のカードとは別の第２のカードを作成するカード作成手段と、前記カード作成手段によって作成された第２のカードに関する情報を、カード会社サーバへ送信する送信手段と、を備えたことを特徴とする。
【００１３】
また、この発明にかかるカード作成装置は、上記の発明において、前記第２のカードの有効期限に関する情報の入力を受け付ける有効期限情報入力手段を備え、前記カード作成手段が、前記有効期限に関する情報に基づいて、当該有効期限においてのみ利用可能な前記第２のカードを作成することを特徴とする。
【００１４】
また、この発明にかかるカード作成装置は、上記の発明において、前記第２のカードでの利用が可能な有効加盟店に関する情報の入力を受け付ける有効加盟店情報入力手段を備え、前記カード作成手段が、前記有効加盟店に関する情報に基づいて、当該有効加盟店においてのみ利用可能な前記第２のカードを作成することを特徴とする。
【００１５】
また、この発明にかかるカード作成装置は、上記の発明において、前記第２のカードでの利用が可能な有効地域に関する情報の入力を受け付ける有効地域情報入力手段を備え、前記カード作成手段が、前記有効地域に関する情報に基づいて、当該有効地域においてのみ利用可能な前記第２のカードを作成することを特徴とする。
【００１６】
また、この発明にかかるカード作成装置は、上記の発明において、前記第１のカードの暗証番号とは異なる前記第２のカードの暗証番号の入力を受け付ける暗証番号入力手段を備え、前記カード作成手段は、前記第２のカードの暗証番号が入力された場合のみまたは前記第１のカードの暗証番号と前記第２のカードの暗証番号の両方が入力された場合のみ利用可能な前記第２のカードを作成することを特徴とする。
【００１７】
また、この発明にかかるカード作成装置は、上記の発明において、前記カード作成手段が、前記第２のカードの所定の記録領域に所定のデータを書き込む書込手段と、前記第２のカードの少なくとも片面に、所定の文字または画像を印刷する印刷手段と、からなることを特徴とする。
【００１８】
また、この発明にかかるカード作成装置は、上記の発明において、さらに、前記第２のカードに書き込まれた所定のデータを消去する消去手段を備えたことを特徴とする。
【００１９】
また、この発明にかかる携帯型通信端末装置は、上記のいずれかのカード作成装置を備えた、あるいは当該カード作成装置が接続可能なことを特徴とする。
【００２０】
また、この発明にかかるカード作成方法は、カード情報読取手段と、暗証番号入力手段と、利用可能金額情報入力手段と、暗証番号照合手段と、カード作成手段と、送信手段と、を備えたカード作成装置が実行するカード作成方法であって、前記カード情報読取手段が、カード会員が所有する少なくとも１枚のカード（以下「第１のカード」という）を特定するカード情報を読み取るカード情報読取工程と、前記暗証番号入力手段が、前記第１のカードの暗証番号の入力を受け付ける暗証番号入力工程と、前記利用可能金額情報入力手段が、前記第１のカードの利用限度額の範囲内で利用可能な金額に関する情報の入力を受け付ける利用可能金額情報入力工程と、前記暗証番号照合手段が、前記暗証番号を照合する暗証番号照合工程と、前記カード作成手段が、前記暗証番号照合工程によって照合された結果、前記暗証番号が一致した場合に、前記第１のカードのカード情報、前記暗証番号および前記利用金額に関する情報に基づいて、前記カード会員が前記利用金額の範囲内で利用可能な、前記第１のカードとは別の第２のカードを作成するカード作成工程と、前記送信手段が、前記カード作成工程によって作成された第２のカードに関する情報を、カード会社サーバへ送信する送信工程と、を含んだことを特徴とする。
【００２１】
また、この発明にかかるカード作成プログラムは、カード情報読取手段と、暗証番号入力手段と、利用可能金額情報入力手段と、暗証番号照合手段と、カード作成手段と、送信手段と、を備えたカード作成装置に実行させるためのカード作成プログラムであって、前記カード情報読取手段が、カード会員が所有する少なくとも１枚のカード（以下「第１のカード」という）を特定するカード情報を読み取るカード情報読取工程と、前記暗証番号入力手段が、前記第１のカードの暗証番号の入力を受け付ける暗証番号入力工程と、前記利用可能金額情報入力手段が、前記第１のカードの利用限度額の範囲内で利用可能な金額に関する情報の入力を受け付ける利用可能金額情報入力工程と、前記暗証番号照合手段が、前記暗証番号を照合する暗証番号照合工程と、前記カード作成手段が、前記暗証番号照合工程によって照合された結果、前記暗証番号が一致した場合に、前記第１のカードのカード情報、前記暗証番号および前記利用金額に関する情報に基づいて、前記カード会員が前記利用金額の範囲内で利用可能な、前記第１のカードとは別の第２のカードを作成するカード作成工程と、前記送信手段が、前記カード作成工程によって作成された第２のカードに関する情報を、カード会社サーバへ送信する送信工程と、を実行させることを特徴とする。
【発明の効果】
【００２２】
本発明にかかるカード作成装置、携帯型通信端末装置、カード作成方法およびカード作成プログラムによれば、カード決済の利便性を損なうことなく、カードの使いすぎを抑制し、カードを安心して利用させることができるという効果を奏する。
【図面の簡単な説明】
【００２３】
【図１】この発明にかかる実施の形態のカード作成システムのシステム構成を示す説明図である。
【図２】カード作成装置の外観を示す説明図である。
【図３】カード会社サーバを実現するコンピュータ装置のハードウエア構成を示すブロック図である。
【図４】この発明にかかる実施の形態のカード作成装置のハードウエア構成を示す説明図である。
【図５】利用者データベースの一例を示す説明図である。
【図６】作成カードデータベースの一例を示す説明図である。
【図７】この発明にかかる実施の形態のカード作成装置の機能的構成を示す説明図である。
【図８】この発明にかかる実施の形態のカード作成装置の処理手順を示すフローチャートである。
【図９−１】カード作成装置のディスプレイに表示される表示画面例を示す説明図（その１）である。
【図９−２】カード作成装置のディスプレイに表示される表示画面例を示す説明図（その２）である。
【図９−３】カード作成装置のディスプレイに表示される表示画面例を示す説明図（その３）である。
【図９−４】カード作成装置のディスプレイに表示される表示画面例を示す説明図（その４）である。
【図９−５】カード作成装置のディスプレイに表示される表示画面例を示す説明図（その５）である。
【図９−６】カード作成装置のディスプレイに表示される表示画面例を示す説明図（その６）である。
【図１０−１】第２のカードの表面の印刷例を示す説明図（その１）である。
【図１０−２】第２のカードの表面の印刷例を示す説明図（その２）である。
【発明を実施するための形態】
【００２４】
以下に添付図面を参照して、この発明にかかるカード作成装置、携帯型通信端末装置、カード作成方法およびカード作成プログラムの好適な実施の形態を詳細に説明する。
【００２５】
まず、この発明にかかる実施の形態のカード作成システムのシステム構成について説明する。図１は、この発明にかかる実施の形態のカード作成システムのシステム構成を示す説明図である。図１において、この発明にかかる実施の形態のカード作成システム１００は、カード会社サーバ１１０と、カード作成装置１２０と、を含んで構成されている。カード作成システム１００において、カード会社サーバ１１０およびカード作成装置１２０は、インターネットなどのネットワーク１３０に接続されている。
【００２６】
カード作成システム１００において、カード会社サーバ１１０は、たとえばパーソナルコンピュータなどのコンピュータ装置（図２を参照）によって実現することができる。カード会社サーバ１１０を実現するコンピュータ装置は、たとえばカードの発行元となるカード会社が管理運用するサーバコンピュータとすることができる。カード会社サーバ１１０は、利用者データベース１１１（図５を参照）や作成カードデータベース１１２（図６を参照）を備えている。利用者データベース１１１および作成カードデータベース１１２については説明を後述する。
【００２７】
カード作成システム１００において、カード作成装置１２０は、第１のカードとは別の第２のカードを作成する。第１のカードは、たとえばＩＣチップあるいは磁気テープなど、不揮発性の記憶媒体を備えたカード形状の媒体によって実現することができる。具体的には、第１のカードは、たとえばクレジットカード、デビットカード、キャッシュカードなどの各種カードによって実現することができる。
【００２８】
第２のカードは、不揮発性の記憶媒体を備えたカード形状の媒体によって実現することができる。第２のカードは、たとえば券面の大きさが第１のカードと同等であって、第１のカードよりも厚さが薄いカード形状の媒体によって実現することができる。第１のカードよりも厚さを薄くすることにより、第１のカードと同等の取り扱い性を維持したまま、第１のカードに対して外観上の差別化を図り、第１のカードと第２のカードとの取り違いを防止することができる。
【００２９】
具体的には、第２のカードは、たとえば全面磁気カードによって実現することができる。全面磁気カードは、たとえばＰＥＴ材料などを用いて形成された薄手のシート状部材の一面（裏面）側全体に、磁性体によって形成された記録層を設けることによって構成されている。
【００３０】
このような全面磁気カードにおいては、記録層が設けられた裏面全体に情報を不揮発に記録することができ、表面には任意の情報を印刷することができる。カード作成装置１２０は、情報を記録していない状態の第２のカード（空のカード）を、あらかじめ複数保持している。
【００３１】
第２のカードの表面に対する印刷方式は、たとえば追記式であってもよいし、リライト式であってもよい。追記式の印刷方式は、たとえばサーマル方式、インクジェット方式など公知の各種の印刷方式が挙げられる。リライト式の印刷方式は、たとえば白濁方式やロイコ方式などの公知の各種の印刷方式が挙げられる。追記式の印刷方式、リライト式の印刷方式、およびこれらの印刷方式による印刷を実現する全面磁気カードについては、公知の技術を用いて容易に実現可能であるため、説明を省略する。
【００３２】
また、カード作成装置１２０は、カードの作成にかかる処理の実行に際して、カード会社サーバ１１０との間で通信をおこない、作成した第２のカードに関する情報を、カード会社サーバ１１０へ送信する。
【００３３】
（カード作成装置１２０の外観）
つぎに、カード作成装置１２０の外観について説明する。図２は、カード作成装置１２０の外観を示す説明図である。図２において、カード作成装置１２０は、たとえばＡＴＭ、券売機や自動販売機のように、公共の場所に設置して使用することができる。具体的には、カード作成装置１２０は、たとえばコンビニエンスストアや駅などに設置することができる。
【００３４】
カード作成装置１２０は、第１のカードの挿入を受け付けるカード挿入口２０１や、第２のカードを発行するカード発行口２０２などを備えている。カード発行口２０２は、第２のカードの挿入を受け付けることも可能とされている。具体的には、カード発行口２０２には、たとえば既に発行された第２のカードを再利用する場合などに、第２のカードが挿入される。
【００３５】
カード挿入口２０１には、第１のカードのＩＣチップや磁気ストライプなどに記憶された情報を読み取るカードリーダ（図４における符号４１８を参照）が接続されている。カード作成装置１２０は、カードリーダに代えて、第１のカードのＩＣチップや磁気ストライプなどに記憶された情報を読み取ったり、第１のカードのＩＣチップや磁気ストライプなどに情報を書き込んだりするカードリーダライタを備えていてもよい。
【００３６】
カード発行口２０２には、第２のカードの記録層に記録された情報を読み取ったり、第２のカードの記録層に対して情報を書き込んだりするカードリーダライタ（図４における符号４０９を参照）が接続されている。カードリーダライタは、具体的には、たとえば磁気ヘッドや磁気ヘッドに対向配置されたプラテンなどによって構成することができる。
【００３７】
また、カード発行口２０２には、第２のカードの表面に対して印刷をおこなうプリンタ（図４における符号４１０を参照）が接続されている。プリンタは、具体的には、たとえばサーマルヘッドや当該サーマルヘッドに対向配置されたプラテンなどによって構成することができる。
【００３８】
また、カード作成装置１２０は、第２のカードの作成に際して各種の入力操作を受け付ける操作部２０３を備えている。操作部２０３は、たとえば液晶パネルなどによって実現されるディスプレイ（図４における符号４０４を参照）と、当該ディスプレイに積層したタッチパネル（図４における符号４０５を参照）と、によって構成したソフトキーボードによって実現することができる。ソフトキーボードは、タッチパネル機能を有する表示画面に入力位置を案内する各種キーの画像を表示することによって実現される。また、操作部２０３は、テンキー（図４における符号４０６を参照）などを備えていてもよい。
【００３９】
また、カード作成装置１２０は、生体認証に用いる生体情報を読み取る生体情報読取部２０４を備えている。生体情報読取部２０４は、具体的には、たとえばカード会員の手指の指紋を読み取るスキャナや、当該スキャナで読み取った画像解析処理をおこなうマイクロコンピュータあるいはプログラムなどによって実現することができる。
【００４０】
また、カード作成装置１２０は、カード会社サーバ１１０と直接あるいは間接的に通信をおこなう通信機能を備えている。具体的には、カード作成装置１２０は、たとえば通信回線を通じて上記のネットワーク１３０に接続された通信インターフェース（図４における符号４０７を参照）によって実現することができる。
【００４１】
（コンピュータ装置のハードウエア構成）
つぎに、カード会社サーバ１１０を実現するコンピュータ装置のハードウエア構成について説明する。図３は、カード会社サーバ１１０を実現するコンピュータ装置のハードウエア構成を示すブロック図である。
【００４２】
図３において、コンピュータ装置３００は、ＣＰＵ３０１と、ＲＯＭ３０２と、ＲＡＭ３０３と、ＨＤＤ（ハードディスクドライブ）３０４と、ＨＤ（ハードディスク）３０５と、ＦＤＤ（フロッピー（登録商標）ディスクドライブ）３０６と、着脱可能な記録媒体の一例としてのＦＤ（フロッピーディスク）３０７と、ネットワークＩ／Ｆ（インターフェース）３０８と、を備えている。また、コンピュータ装置３００が備える各部３０１〜３０８は、バス３０９によってそれぞれ接続されている。
【００４３】
ＣＰＵ３０１は、コンピュータ装置３００全体の制御を司る。ＲＯＭ３０２は、ブートプログラムなどのプログラムを記憶している。ＲＡＭ３０３は、ＣＰＵ３０１のワークエリアとして使用される。ＨＤＤ３０４は、ＣＰＵ３０１の制御にしたがってＨＤ３０５に対するデータのリード／ライトを制御する。ＨＤ３０５は、ＨＤＤ３０４の制御で書き込まれたデータを記憶する。
【００４４】
ＦＤＤ３０６は、ＣＰＵ３０１の制御にしたがってＦＤ３０７に対するデータのリード／ライトを制御する。ＦＤ３０７は、ＦＤＤ３０６の制御で書き込まれたデータを記憶する。着脱可能な記録媒体として、ＦＤ３０７の他、ＣＤ−ＲＯＭ（ＣＤ−ＲＷ）、ＭＯ、ＤＶＤ（Ｄｉｇｉｔａｌ  Ｖｅｒｓａｔｉｌｅ  Ｄｉｓｋ）などであってもよい。
【００４５】
ネットワークＩ／Ｆ３０８は、通信回線を通じてネットワーク１３０に接続され、ネットワーク１３０を介してカード作成装置１２０などの外部装置に接続される。そして、ネットワークＩ／Ｆ３０８は、ネットワーク１３０と内部とのインターフェースを司り、コンピュータ装置３００からのデータの入出力を制御する。
【００４６】
（カード作成装置１２０のハードウエア構成）
つぎに、この発明にかかる実施の形態のカード作成装置１２０のハードウエア構成について説明する。図４は、この発明にかかる実施の形態のカード作成装置１２０のハードウエア構成を示す説明図である。
【００４７】
図４において、この発明にかかる実施の形態のカード作成装置１２０は、ＣＰＵ４０１と、ＲＯＭ４０２と、ＲＡＭ４０３と、ディスプレイ４０４と、タッチパネル４０５と、テンキー４０６と、通信Ｉ／Ｆ４０７と、カードリーダ４０８と、カードリーダライタ４０９と、プリンタ４１０と、生体情報読取部２０４と、を備えている。カード作成装置１２０が備える各部４０１〜４１０、２０４は、バス４１１によってそれぞれ接続されている。
【００４８】
ＣＰＵ４０１は、カード作成装置１２０全体の制御を司る。ＲＯＭ４０２は、第２のカードの作成に際して実行させる各種のプログラムなどを記憶している。ＲＡＭ４０３は、ＣＰＵ４０１のワークエリアとして使用される。ＣＰＵ４０１は、第２のカードの作成に際して、通信Ｉ／Ｆ４０７を介してカード会社サーバ１１０との間で通信をおこなう。
【００４９】
ディスプレイ４０４は、たとえば液晶パネルを備えた表示装置によって実現することができる。ディスプレイ４０４を実現する液晶パネルは、たとえば第２のカードの作成にかかるメニュー画面や第２のカードに関する情報を入力する画面などの各種の表示画面（図９−１〜図９−６を参照）、操作内容を案内する定型メッセージ、入力操作に応じた数字や記号などを表示することができる。
【００５０】
タッチパネル４０５は、第２のカードの作成をおこなうカード会員などによる第２のカードの作成にかかる各種の入力操作を受け付け、当該入力操作によって入力された情報をＣＰＵ４０１に出力する。具体的には、タッチパネル４０５は、第２のカードの作成に際して、たとえば第２のカードの作成にかかるメニュー画面を表示させる入力操作、暗証番号や有効期限に関する情報の入力操作を受け付ける。
【００５１】
テンキー４０６は、メニュー画面や各種の案内画面にしたがって数字を入力する際に用いることができる。テンキー４０６は、テンキー４０６に対する入力操作によって入力された情報をＣＰＵ４０１に出力する。テンキー４０６は、カーソルキーやエンター（確定）キーなどを備えていてもよい。
【００５２】
カードリーダ４０８は、カード挿入口２０１から挿入された第１のカードのカード情報を読み取る。カードリーダ４０８は、たとえば第１のカードがカード挿入口２０１から挿入された場合に、第１のカードのカード情報を読み取る。また、カードリーダ４０８は、たとえばタッチパネル４０５やテンキー４０６において所定の入力操作を受け付けた場合に、カード挿入口２０１からの第１のカードの挿入を許容し、挿入された第１のカードのカード情報を読み取るようにしてもよい。
【００５３】
たとえばＩＣチップを備えたＩＣカードによって第１のカードを実現する場合、カードリーダ４０８は、第１のカードのＩＣチップに送信する送信信号を復調する復調器、復調器が復調した送信信号の電波を発するアンテナ、アンテナを介してＩＣチップから受信した信号を変調する変調器、などによって実現することができる。カードリーダ４０８は、復調する送信信号をＣＰＵ４０１から受信し、アンテナを介して外部に出力する。また、カードリーダ４０８は、アンテナを介して受信し、変調器によって変調された信号をＣＰＵ４０１に出力する。
【００５４】
たとえば磁気ストライプを備えた磁気カードによって第１のカードを実現する場合、カードリーダ４０８は、第１のカードの磁気ストライプに対向する位置に配置された磁気ヘッドによって実現することができる。カード作成装置１２０においては、カードリーダ４０８に代えて、第１のカードに対して所定の情報を書き込むカードリーダライタとしてもよい。
【００５５】
カードリーダライタ４０９は、第２のカードに対して所定の情報を書き込んだり、全面磁気カードに書き込まれた情報を読み取ったりする。また、カードリーダライタ４０９は、第２のカードに記録された情報を消去することが可能とされている。カードリーダライタ４０９は、たとえばタッチパネル４０５やテンキー４０６において所定の入力操作を受け付けた場合に、第２のカードに対する情報の書き込み、読み取りあるいは消去をおこなう。
【００５６】
たとえば磁性体によって形成された記録層を備えた全面磁気カードによって第２のカードを実現する場合、磁気ヘッドによってカードリーダライタ４０９を実現することができる。全面磁気カードに対する情報の読み取り、記録および消去をおこなう磁気ヘッドについては、公知の各種の技術を用いて容易に実現可能であるため、説明を省略する。
【００５７】
プリンタ４１０は、第２のカードの表面に対して印刷をおこなう。具体的には、プリンタ４１０は、たとえば印刷ヘッドや当該印刷ヘッドに対向配置されたプラテンなどを備えて構成され、プラテンなどを用いて第２のカードを所定方向に搬送しながら印刷ヘッドを駆動することによって印刷をおこなう。
【００５８】
（利用者データベース１１１の一例）
つぎに、カード会社サーバ１１０が備えた利用者データベース１１１について説明する。図５は、利用者データベース１１１の一例を示す説明図である。図５において、利用者データベース１１１は、カードの発行あるいはカード決済に必要とする各種の情報（以下「カード管理情報」）を記憶している。
【００５９】
利用者データベース１１１は、カード会員の識別情報ごとにカード管理情報を対応付けて記憶している。たとえばクレジットカードによって第１のカードを実現する場合、カード番号によってカード会員の識別情報を実現することができる。また、たとえばデビットカードによって第１のカードを実現する場合、口座番号によってカード会員の識別情報を実現することができる。
【００６０】
カード管理情報は、たとえばカードの有効期限、カード会員の氏名、住所、電話番号、性別、利用限度額、当月の利用金額などを特定可能な情報とすることができる。たとえばクレジットカードによって第１のカードを実現する場合、利用限度額は、クレジットカードに対して設定された利用限度額とすることができる。また、たとえばデビットカードによって第１のカードを実現する場合、利用限度額は、当該デビットカードの発行元が１日に出金可能な上限額として定めている金額とすることができる。
【００６１】
当月の利用金額は、たとえば１ヶ月ごとに締め日がある場合の、前回の締め日の翌日から次回の締め日までの累積の利用金額とする。カード管理情報は、たとえば引き落とし口座番号、カード会員の年収、支払い方法などを特定可能な情報を含んでいてもよい。これらのカード管理情報は、たとえばクレジットカードによって第１のカードを実現する場合であれば、カードの発行時（申し込み時）などに、カード会員から事前に取得し、カードの発行元によって利用者データベース１１１に登録することができる。
【００６２】
（作成カードデータベース１１２の一例）
つぎに、カード会社サーバ１１０が備えた作成カードデータベース１１２について説明する。図６は、作成カードデータベース１１２の一例を示す説明図である。図６において、作成カードデータベース１１２は、第２のカードに関する情報を記憶する。作成カードデータベース１１２は、第２のカードに関する情報を、カード会員の識別情報ごとに対応付けて記憶している。
【００６３】
第２のカードに関する情報は、第２のカードの識別情報、第２のカードの有効期限、第２のカードの暗証番号、第２のカードの自己設定限度額などを特定可能な情報とすることができる。第２のカードの暗証番号は、カード会員がそれぞれ設定してもよいし、第１のカードに設定されている暗証番号と同じ暗証番号を設定してもよい。第２のカードの暗証番号を第１のカードの暗証番号と異ならせるかどうかは、第２のカードを作成するカード会員が選択できるようにしてもよい。
【００６４】
第２のカードは、第２のカードの利用限度額の合計が第１のカードの利用限度額を超えない範囲であれば、第１のカード１枚に対して複数枚作成することができる。同じ第１のカードから作成した複数枚の第２のカードの暗証番号は、それぞれ異なる暗証番号であってもよいし、一部あるいはすべて同じ暗証番号であってもよい。
【００６５】
（カード作成装置１２０の機能的構成）
つぎに、この発明にかかる実施の形態のカード作成装置１２０の機能的構成について説明する。図７は、この発明にかかる実施の形態のカード作成装置１２０の機能的構成を示す説明図である。
【００６６】
図７において、この発明にかかる実施の形態のカード作成装置１２０は、第１カード情報読取部（カード情報読取部）７０１と、第１暗証番号入力部（暗証番号入力部）７０２と、暗証番号照合部７０３と、利用可能金額情報入力部７０４と、有効期限情報入力部７０５と、有効加盟店情報入力部７０６と、有効地域情報入力部７０７と、第２暗証番号入力部（第２の暗証番号入力部）７０８と、第２カード作成部（カード作成部）７０９と、消去部７１０と、第２カード情報送信部（送信部）７１１と、を備えている。
【００６７】
第１カード情報読取部７０１は、第１のカードを特定するカード情報を読み取る。第１のカードは、カード会員が所有するクレジットカード、デビットカード、キャッシュカードなどの各種カードのうちの少なくとも１枚のカードによって実現することができる。第１カード情報読取部７０１が読み取るカード情報は、第１のカードを特定可能な情報とする。
【００６８】
たとえば第１のカードをクレジットカードによって実現する場合は、カード番号（クレジットカード番号）とすることができる。カード情報は、第１のカードを特定可能な情報であればよく、第１のカードに設定された第１のカード自体の識別情報であってもよい。
【００６９】
たとえば第１のカードが、磁気ストライプを備えたカードである場合、カードリーダが備えた磁気ヘッドを用いてカードの磁気ストライプ部分を読み取ることによってカード情報を読み取ることができる。この実施の形態においては、カードリーダ４０８によって第１カード情報読取部７０１としての機能を実現することができる。
【００７０】
また、たとえば第１のカードが、券面にエンボス加工が施されたカードである場合、当該エンボス加工部分の形状を認識してカード番号を判別することによってカード情報を読み取るようにしてもよい。また、カード情報は、カード会員の氏名および住所、カード会員の氏名および暗証番号などのように、複数の情報を組み合わせた情報であってもよい。
【００７１】
第１暗証番号入力部７０２は、第１のカードの暗証番号の入力を受け付ける。第１暗証番号入力部７０２は、暗証番号の入力を指定する所定の操作がおこなわれた後に入力された数字情報を、暗証番号として受け付ける。暗証番号は、具体的には、たとえばカード会員がタッチパネル（ソフトキーボード）４０５やテンキー４０６などを操作することによって入力することができる。この実施の形態においては、タッチパネル４０５やテンキー４０６によって第１暗証番号入力部７０２としての機能を実現することができる。
【００７２】
暗証番号照合部７０３は、暗証番号を照合する。暗証番号照合部７０３は、たとえば第１暗証番号入力部７０２によって入力を受け付けた暗証番号が、第１のカードに対応付けられた暗証番号と一致するか否かを判定する。
【００７３】
たとえば第１のカードが備えたＩＣチップや磁気ストライプに暗証番号に関する情報が記憶されている場合、暗証番号照合部７０３は、記憶されている情報に基づいて、第１暗証番号入力部７０２によって入力を受け付けた暗証番号が、第１のカードに記憶されている暗証番号と一致するか否かを判定する。この場合、ＲＡＭ４０３をワークエリアとしながら、ＲＯＭ４０２に記憶されたプログラムをＣＰＵ４０１によって実行することによって暗証番号照合部７０３としての機能を実現することができる。
【００７４】
また、たとえば第１暗証番号入力部７０２によって入力を受け付けた暗証番号および第１のカードのカード情報に基づいて、カード会社サーバ１１０との間で通信をおこなうことによって照合してもよい。この場合、ＲＯＭ４０２に記憶されたプログラムをＲＡＭ４０３をワークエリアとしながらＣＰＵ４０１によって実行し、適宜通信Ｉ／Ｆ４０７を介してカード会社サーバ１１０との間で通信をおこなうことによって、暗証番号照合部７０３としての機能を実現することができる。
【００７５】
利用可能金額情報入力部７０４は、第１のカードの利用限度額の範囲内で利用可能な金額（以下「自己設定限度額」という）に関する情報の入力を受け付ける。第１のカードの利用限度額は、たとえば１ヶ月などの所定期間におけるカード決済に利用可能な金額の上限額であって、第１のカードの所有者であるカード会員の年収などに基づいて、カードの発行元であるカード会社などによってあらかじめ設定されている。第１のカードの利用限度額は、たとえばカードの発行に際して設定され、カード発行以降はカード会員のカード利用状況などによって変更することが可能とされている。
【００７６】
自己設定限度額に関する情報は、具体的には、たとえばカード会員がタッチパネル（ソフトキーボード）４０５やテンキー４０６などを操作することによって入力することができる。この実施の形態においては、タッチパネル４０５やテンキー４０６によって利用可能金額情報入力部７０４としての機能を実現することができる。
【００７７】
有効期限情報入力部７０５は、第２のカードの有効期限に関する情報の入力を受け付ける。有効期限に関する情報は、具体的には、たとえばカード会員がタッチパネル（ソフトキーボード）４０５やテンキー４０６などを操作することによって入力することができる。この実施の形態においては、タッチパネル４０５やテンキー４０６によって有効期限情報入力部７０５としての機能を実現することができる。
【００７８】
具体的には、たとえば第２のカードの作成日が３／１である場合、「３月１５日まで」という有効期限を設定することができる。また、具体的には、たとえば４月１日〜４月８日までの期間で海外旅行に行く予定がある場合、海外旅行の期間に合わせて「４月１日〜４月８日」という有効期限を設定することができる。
【００７９】
また、具体的には、たとえば「カード作成日時から１６時間のみ」、「土日のみ」、「毎月１０日と２５日」という有効期限を設定することができる。１枚の第２のカードに対して、複数の有効期限が設定されていてもよい。具体的には、たとえば、１ヶ月間に２回海外に出張する予定がある場合「３月１日〜３月１０日および３月２０日〜３月３０日」などのように複数の期間を設定してもよい。
【００８０】
有効加盟店情報入力部７０６は、第２のカードでの利用が可能な有効加盟店に関する情報の入力を受け付ける。有効加盟店に関する情報は、具体的には、たとえばカード会員がタッチパネル（ソフトキーボード）４０５やテンキー４０６などを操作することによって入力することができる。この実施の形態においては、タッチパネル４０５やテンキー４０６によって有効加盟店情報入力部７０６としての機能を実現することができる。
【００８１】
有効加盟店に関する情報は、具体的には、たとえば店舗名称および所在地、あるいは店舗番号などのように、具体的な店舗を特定する情報とすることができる。特定のチェーン店を有効加盟店とする場合は、たとえば「××コンビニエンスストア」などのように、店舗名称のみであってもよい。
【００８２】
また、有効加盟店に関する情報は、店舗の属性であってもよい。具体的には、たとえば「レストラン、飲食店のみ」などのような情報であってもよい。あるいは「××百貨店」、「○○デパート」などのように、特定の建物において出店しているテナントを指定するようにしてもよい。有効加盟店は、１つであってもよく、複数であってもよい。
【００８３】
有効地域情報入力部７０７は、第２のカードでの利用が可能な有効地域に関する情報の入力を受け付ける。第２のカードでの利用が可能な有効地域に関する情報は、具体的には、たとえばカード会員がタッチパネル（ソフトキーボード）４０５やテンキー４０６などを操作することによって入力することができる。この実施の形態においては、タッチパネル４０５やテンキー４０６によって有効地域情報入力部７０７としての機能を実現することができる。
【００８４】
第２のカードでの利用が可能な有効地域に関する情報は、具体的には、たとえば「米国のみ」、「日本国のみ」のように、第２のカードの利用を許可する国を指定する情報とすることができる。また、第２のカードでの利用が可能な有効地域に関する情報は、具体的には、たとえば「ハワイ」、「沖縄」などのように、国の中の特定の地域を限定する情報であってもよい。
【００８５】
第２のカードでの利用が可能な有効地域に関する情報は、複数の地域を指定するものであってもよい。具体的には、たとえばフランス、イギリス、ベルギーを巡る海外旅行を予定しているカード会員であれば、「フランス、イギリス、ベルギー」のように、第２のカードの利用を許可する国を指定してもよい。
【００８６】
第２暗証番号入力部７０８は、第２のカードの暗証番号の入力を受け付ける。第２のカードの暗証番号は、具体的には、たとえばカード会員がタッチパネル（ソフトキーボード）４０５やテンキー４０６などを操作することによって入力することができる。この実施の形態においては、タッチパネル４０５やテンキー４０６によって第２暗証番号入力部７０８としての機能を実現することができる。
【００８７】
第２のカードの暗証番号は、第１のカードの暗証番号とは異なる暗証番号とすることができる。第２のカードの暗証番号を、第１のカードとは異なる暗証番号に設定することにより、第２のカードが盗難された場合の当該第２のカードの不正使用を抑制することができる。
【００８８】
第２のカードの暗証番号は、第１のカードの暗証番号と同じ暗証番号を設定できるようにしてもよい。第２のカードの暗証番号は、第２のカードの作成に際して、第２のカードの暗証番号について何の指定もしない場合に、第１カードと同じ暗証番号を第２のカードの暗証番号として設定するようにしてもよい。
【００８９】
第２カード作成部７０９は、暗証番号照合部７０３によって照合された結果、暗証番号が一致した場合に、第１のカードのカード情報、暗証番号および利用金額に関する情報に基づいて、第２のカードを作成する。第２のカードは、カード会員が利用金額の範囲内で利用可能であって、第１のカードとは別のカードによって実現するものであり、具体的には、たとえば上記の全面磁気カードのような媒体によって実現することができる。
【００９０】
第２カード作成部７０９は、書込部７０９ａと印刷部７０９ｂとによって構成されている。書込部７０９ａは、第２のカードの所定の記録領域に所定のデータを書き込む。具体的には、書込部７０９ａは、たとえばカードリーダライタ４０９によって実現することができる。印刷部７０９ｂは、第２のカードの少なくとも片面（たとえば表面）に、所定の文字または画像を印刷する。具体的には、印刷部７０９ｂは、たとえばプリンタ４１０によって実現することができる。
【００９１】
第２カード作成部７０９は、第２のカードの作成に際して、書込部７０９ａによって、１枚の空のカードの記録層に対して第２のカードの作成に必要なカード情報を書き込む。また、第２カード作成部７０９は、第２のカードの作成に際して、カード情報が書き込まれる１枚の空のカード、あるいは既にカード情報が書き込まれた全面磁気カードの表面に、カード情報に応じた所定事項を印刷する。
【００９２】
この実施の形態においては、ＲＡＭ４０３をワークエリアとしながら、ＲＯＭ４０２に記憶されたプログラムをＣＰＵ４０１によって実行し、カードリーダライタ４０９やプリンタ４１０を駆動制御することによって第２カード作成部７０９としての機能を実現することができる。
【００９３】
第２カード作成部７０９は、有効期限情報入力部７０５によって第２のカードの有効期限に関する情報の入力を受け付けた場合、入力を受け付けた有効期限に関する情報に基づいて、当該有効期限においてのみ利用可能な第２のカードを作成する。具体的には、書込部７０９ａによって、有効期限を特定可能な情報を全面磁気カードの記録層に書き込むことによって、カード会員に指定された有効期限においてのみ利用可能な第２のカードを作成する。
【００９４】
また、第２カード作成部７０９は、有効期限情報入力部７０５によって第２のカードの有効期限に関する情報の入力を受け付けた場合、入力を受け付けた有効期限に関する情報に基づいて、第２のカードの表面に有効期限を案内する情報を印刷した第２のカードを作成する。具体的には、印刷部７０９ｂによって、たとえば「３月１５日まで有効」などのメッセージを印刷によって明示した第２のカードを作成する。
【００９５】
第２カード作成部７０９は、有効期限情報入力部７０５によって第２のカードの有効期限に関する情報の入力を受け付けた場合、有効期限を案内する情報は印刷せず、有効期限を特定可能な情報を全面磁気カードの記録層のみに書き込んだ第２のカードを作成してもよい。このように、第２のカードの有効期限を明示しないことにより、第２のカードが盗難された場合の当該第２のカードの不正使用を抑制することができる。
【００９６】
また、第２カード作成部７０９は、有効加盟店情報入力部７０６によって第２のカードでの利用が可能な有効加盟店に関する情報の入力を受け付けた場合、入力を受け付けた有効加盟店に関する情報に基づいて、当該有効加盟店においてのみ利用可能な第２のカードを作成する。具体的には、書込部７０９ａによって、有効加盟店を特定可能な情報を全面磁気カードの記録層に書き込むことによって、カード会員に指定された有効加盟店においてのみ利用可能な第２のカードを作成する。
【００９７】
また、第２カード作成部７０９は、有効加盟店情報入力部７０６によって第２のカードでの利用が可能な有効加盟店に関する情報の入力を受け付けた場合、入力を受け付けた有効加盟店に関する情報に基づいて、第２のカードの表面に有効加盟店を案内する情報を印刷した第２のカードを作成する。具体的には、印刷部７０９ｂによって、たとえば「××百貨店でのみ有効」などのメッセージを印刷によって明示した第２のカードを作成する。
【００９８】
第２カード作成部７０９は、有効加盟店情報入力部７０６によって第２のカードでの利用が可能な有効加盟店に関する情報の入力を受け付けた場合、有効加盟店を案内する情報は印刷せず、有効加盟店を特定可能な情報を全面磁気カードの記録層のみに書き込んだ第２のカードを作成してもよい。このように、第２のカードが利用可能な有効加盟店を明示しないことにより、第２のカードが盗難された場合の当該第２のカードの不正使用を抑制することができる。
【００９９】
また、第２カード作成部７０９は、有効地域情報入力部７０７によって第２のカードでの利用が可能な有効地域に関する情報の入力を受け付けた場合、当該有効地域に関する情報に基づいて、指定された有効地域においてのみ利用可能な第２のカードを作成する。具体的には、書込部７０９ａによって、有効地域を特定可能な情報を全面磁気カードの記録層に書き込むことによって、カード会員に指定された有効地域においてのみ利用可能な第２のカードを作成する。
【０１００】
また、第２カード作成部７０９は、有効地域情報入力部７０７によって第２のカードでの利用が可能な有効地域に関する情報の入力を受け付けた場合、入力を受け付けた有効地域に関する情報に基づいて、第２のカードの表面に有効地域を案内する情報を印刷した第２のカードを作成する。具体的には、印刷部７０９ｂによって、たとえば「ハワイでのみ有効」などのメッセージを印刷によって明示した第２のカードを作成する。
【０１０１】
第２カード作成部７０９は、有効地域情報入力部７０７によって第２のカードでの利用が可能な有効地域に関する情報の入力を受け付けた場合、有効地域を案内する情報は印刷せず、有効地域を特定可能な情報を全面磁気カードの記録層のみに書き込んだ第２のカードを作成してもよい。このように、第２のカードが利用可能な有効地域を明示しないことにより、第２のカードが盗難された場合の当該第２のカードの不正使用を抑制することができる。
【０１０２】
また、第２カード作成部７０９は、第２暗証番号入力部７０８によって第２のカードの暗証番号の入力を受け付けた場合には、第２のカードの暗証番号が入力された場合にのみ利用可能とする第２のカードを作成するようにしてもよい。具体的には、書込部７０９ａによって、第２のカードの暗証番号あるいは第２のカードの暗証番号が存在することを示す情報を全面磁気カードの記録層に書き込むことによって、第２のカードの暗証番号が入力された場合にのみ利用可能とする第２のカードを作成する。これによって、第２のカードの不正使用を抑制することができる。
【０１０３】
さらに、第２カード作成部７０９は、第２暗証番号入力部７０８によって第２のカードの暗証番号の入力を受け付けた場合には、第２のカードの暗証番号に加えて、第１のカードの暗証番号が入力された場合にのみ利用可能とする第２のカードを作成するようにしてもよい。
【０１０４】
具体的には、書込部７０９ａによって、第１のカードおよび第２のカードの暗証番号、あるいは第１のカードおよび第２のカードの暗証番号が存在することを示す情報を全面磁気カードの記録層に書き込むことによって、第２のカードの暗証番号が入力された場合にのみ利用可能とする第２のカードを作成する。この場合、第１のカードの暗証番号と第２のカードの暗証番号との両方が入力された場合のみ利用可能な第２のカードを作成することができる。
【０１０５】
消去部７１０は、第２のカードに書き込まれた所定のデータを消去する。具体的には、消去部７１０は、たとえば書込部７０９ａを実現するカードリーダライタ４０９によって実現することができる。消去部７１０によって第２のカードに書き込まれた所定のデータを消去することにより、第２のカードを繰り返して利用することができる。
【０１０６】
第２のカードは、全面磁気カードなどを用いて実現することによって安価に実現することができる。また、安価な全面磁気カードによって第２のカードを実現することにより、第２のカードの有効期限が到来した場合や、自己設定限度額分のカード決済をおこなった場合は使い捨てることができる。
【０１０７】
発行済みの第２のカードに記録された情報を消去部７１０によって消去することにより、第２のカードをなす全面磁気カードを使い回すことができる。消去部７１０は、たとえば挿入された第２のカードの有効期限が切れている場合は、挿入された第２のカードに書き込まれているデータを、自動的に消去するようにしてもよい。
【０１０８】
また、消去部７１０は、たとえば挿入された第２のカードの有効期限が残っている場合は、第２のカードに設定された暗証番号が入力され、入力された暗証番号が照合された場合に、第２のカードに書き込まれているデータを消去するようにしてもよい。これによって、まだ使用できる第２のカードに記憶された情報を不用意に消去することを防止することができる。
【０１０９】
第２カード情報送信部７１１は、第２カード作成部７０９によって作成された第２のカードに関する情報を、カード会社サーバ１１０へ送信する。この実施の形態においては、第２のカードに関する情報を、ＣＰＵ４０１の制御によって通信Ｉ／Ｆ４０７を介してカード会社サーバ１１０に送信することによって第２カード情報送信部７１１としての機能を実現することができる。
【０１１０】
第２カード情報送信部７１１は、たとえば第２のカードの識別番号や第２のカードの作成条件などの情報を、カード会社サーバ１１０に送信する。第２のカードの作成条件は、具体的には、たとえば自己設定限度額や有効期限を特定可能な情報とすることができる。また、第２のカードの作成条件は、具体的には、たとえば第２のカードの有効期限、第２のカードでの利用が可能な有効加盟店、第２のカードでの利用が可能な有効地域に関する情報とすることができる。
【０１１１】
カード会社サーバ１１０は、第２カード情報送信部７１１を介してカード作成装置１２０から送信された情報を受信した場合、作成カードデータベース１１２を更新する。カード会社サーバ１１０は、受信した情報を適宜加工して、作成された第２カードによる認証の実現に要する情報を作成し、作成カードデータベース１１２に記憶する。
【０１１２】
作成カードデータベース１１２の更新、および、更新された情報に基づくカード決済の実行を可能とするために時間を要する場合、カード会社サーバ１１０は、第２のカードの利用開始時期を案内する情報をカード作成装置１２０に送信するようにしてもよい。具体的には、たとえば第２のカードの作成日時が４／１であって、作成カードデータベース１１２の更新に２日を要する場合、４／４から利用可能であることを案内する情報を送信する。カード作成装置１２０は、カード会社サーバ１１０から受信した情報に基づいて、第２のカードの表面に当該第２のカードの利用開始日を印刷してもよい。
【０１１３】
カード作成装置１２０が備える各部は、たとえば携帯型電話機などの携帯型通信端末装置に搭載することができる。このように、カード作成装置１２０を備えた携帯型通信端末装置を構成することによって、カード会員は、第２のカードを作成したくなったその場で第２のカードを作成することができる。
【０１１４】
カード作成装置１２０は、当該カード作成装置１２０における上記の各部を可搬性を備えた筐体に収容することによって携帯可能な構成とし、携帯型電話機などの携帯型通信端末装置に接続可能な構成としてもよい。これによって、カード作成装置１２０は、携帯型通信端末装置が備える通信機能を利用してカード会社サーバ１１０と通信をおこなうことができる。
【０１１５】
（カード作成装置１２０の処理手順）
つぎに、カード作成装置１２０の処理手順について説明する。図８は、この発明にかかる実施の形態のカード作成装置１２０の処理手順を示すフローチャートである。図８のフローチャートにおいて、まず、第１のカードのカード情報を読み取るまで待機する（ステップＳ８０１：Ｎｏ）。第１のカードのカード情報を読み取った場合（ステップＳ８０１：Ｙｅｓ）は、第１のカードの暗証番号の入力があるまで待機する（ステップＳ８０２：Ｎｏ）。
【０１１６】
ステップＳ８０２において、第１のカードの暗証番号の入力があった場合（ステップＳ８０２：Ｙｅｓ）は、入力された第１のカードの暗証番号の照合をおこなう（ステップＳ８０３）。ステップＳ８０３においては、ステップＳ８０１：Ｙｅｓにおいて読み取った第１のカード情報に含まれる第１のカードの暗証番号と、ステップＳ８０２：Ｙｅｓにおいて入力された第１のカードの暗証番号と、が一致するか否かを判定することによって照合をおこなう。そして、一致した場合に認証を許可する。
【０１１７】
ステップＳ８０１：Ｙｅｓにおいて読み取った第１のカード情報に含まれる第１のカードの暗証番号と、ステップＳ８０２：Ｙｅｓにおいて入力された暗証番号と、が一致したために認証が許可された場合（ステップＳ８０４：Ｙｅｓ）は、第２のカードの作成条件に関する情報の入力があったか否かを判断する（ステップＳ８０５）。
【０１１８】
ステップＳ８０５においては、自己設定限度額、第２のカードの有効期限、第２のカードでの利用が可能な有効加盟店、第２のカードでの利用が可能な有効地域、などに関する情報や、第２のカードの暗証番号の入力があったか否かを判断する。ステップＳ８０５においては、ステップＳ８０４：Ｙｅｓにおいて認証を許可してから、タッチパネル４０５あるいはテンキー４０６において第２のカードの作成条件に関する情報の入力を終了する入力操作がおこなわれるまでの間に、上記のいずれかの情報が入力された場合に、第２のカードの作成条件に関する情報の入力があったと判断する。
【０１１９】
ステップＳ８０５においては、第２のカードの作成条件に関する情報の入力があるまで待機する（ステップＳ８０５：Ｎｏ）。そして、第２のカードの作成条件に関する情報の入力があった場合（ステップＳ８０５：Ｙｅｓ）は、第２のカードを作成する（ステップＳ８０６）。
【０１２０】
ステップＳ８０６においては、カード作成装置１２０が保持している全面磁気カードの中の１枚に対して、当該全面磁気カードの記録層にステップＳ８０５：Ｙｅｓにおいて入力を受け付けた情報を書き込むとともに、同じ全面磁気カードの表面に所定の情報を印刷する。
【０１２１】
その後、ステップＳ８０５：Ｙｅｓにおいて入力を受け付けた第２のカードの作成条件に関する情報をカード会社サーバ１１０に送信して（ステップＳ８０７）、一連の処理を終了する。ステップＳ８０７においては、ステップＳ８０４：Ｙｅｓにおいて認証を許可してから、タッチパネル４０５あるいはテンキー４０６において第２のカードの作成条件に関する情報の入力を終了する入力操作がおこなわれるまでの間に入力された情報を、カード会社サーバ１１０に送信する。
【０１２２】
また、ステップＳ８０７においては、第２のカードの作成条件に関する情報に、ステップＳ８０１：Ｙｅｓにおいて読み取った第１のカード情報を対応付けた情報を送信する。具体的には、たとえば第２のカードの作成条件に関する情報に、第１のカードの識別情報を対応付けた情報を送信する。
【０１２３】
ステップＳ８０４において、ステップＳ８０１：Ｙｅｓにおいて読み取った第１のカード情報に含まれる第１のカードの暗証番号と、ステップＳ８０２：Ｙｅｓにおいて入力された暗証番号と、が一致しなかったために認証が不成立となった場合（ステップＳ８０４：Ｎｏ）は、エラーを報知して（ステップＳ８０８）、一連の処理を終了する。
【０１２４】
（表示画面例）
つぎに、第２のカードの作成に際して、カード作成装置１２０のディスプレイ４０４に表示される表示画面例について説明する。図９−１、図９−２、図９−３、図９−４、図９−５および図９−６は、カード作成装置１２０のディスプレイ４０４に表示される表示画面例を示す説明図である。
【０１２５】
図９−１において、表示画面９１０は、第２のカードの作成の待機中にカード作成装置１２０のディスプレイ４０４に表示される。表示画面９１０においては、「いらっしゃいませ」や「第２のカードを作成しますか」などのメッセージと、「作成する」や「説明をみる」などのカード会員の意志を確認するための操作キーを示す画像が表示されている。
【０１２６】
第２のカードを作成するカード会員は、「作成する」をタッチするなどして第２のカードを作成する意志を示すことによって第２のカードの作成を開始することができる。表示画面９１０において「説明をみる」が操作された場合、第２のカードについて説明する表示画面（図示を省略する）を表示する。
【０１２７】
図９−２において、表示画面９２０は、表示画面９１０において「作成する」が操作された場合にディスプレイ４０４に表示される。表示画面９２０においては、「お手持ちのクレジットカードを挿入してください」などの具体的な操作内容を案内するメッセージや、クレジットカードの挿入位置であるカード挿入口２０１の場所を案内する画像（あるいはイラスト）が表示されている。また、表示画面９２０においては、第２のカードの作成を中断する「キャンセル」キーを示す画像が表示されている。
【０１２８】
第２のカードの作成を続行するカード会員は、カード挿入口２０１にクレジットカードなどの第１のカードを挿入する。カード作成装置１２０は、カード挿入口２０１に第１のカードが挿入された場合、ディスプレイ４０４に表示画面９３０を表示する。また、カード作成装置１２０は、「キャンセル」キーをタッチするなどして第２のカードの作成を中断する意志が示された場合、ディスプレイ４０４に表示画面９１０を表示する。
【０１２９】
図９−３において、表示画面９３０は、「暗証番号を入力してください」などの具体的な操作内容を案内するメッセージや、入力された暗証番号の桁数を示すフレームなどを表示している。表示画面９３０においては、入力した暗証番号を確定して、第２のカードの作成にかかる操作を次段階へ進める「次へ」キーなどが表示されている。また、表示画面９３０においては、第２のカードの作成を中断する「キャンセル」キーを示す画像が表示されている。
【０１３０】
第２のカードの作成を続行するカード会員は、第１のカードの暗証番号を入力し、「次へ」キーを操作する。カード作成装置１２０は、「次へ」キーが操作された場合、入力された第１のカードの暗証番号の照合をおこない、認証が許可された場合にディスプレイ４０４に表示画面９４０を表示する。また、カード作成装置１２０は、「キャンセル」キーをタッチするなどして第２のカードの作成を中断する意志が示された場合、ディスプレイ４０４に表示画面９１０を表示する。
【０１３１】
図９−４において、表示画面９４０は、表示画面９３０において「次へ」キーが操作され、認証が許可された場合に表示される。表示画面９４０においては、「設定する項目を選んでください」などの具体的な操作内容を案内するメッセージや、設定する項目群が表示されている。設定する項目群が複数存在し、１画面内にすべての項目を表示することができない場合は、スクロールキーを表示してもよい。
【０１３２】
第２のカードの作成を続行するカード会員は、設定する項目を選択し、「設定」キーを操作する。カード作成装置１２０は、選択された項目を強調して表示し、選択された項目を強調した状態で「設定」キーが操作されると、「設定」キーが操作された時点で強調表示していた項目についての設定をおこなう表示画面を表示する。
【０１３３】
図９−５において、表示画面９５０は、表示画面９４０において「自己設定限度額」の項目が選択された状態で「設定」キーが操作された場合に表示される。表示画面９５０においては、「自己設定限度額を入力してください」などの具体的な操作内容を案内するメッセージや、入力された自己設定限度額を示すフレームなどを表示している。
【０１３４】
また、表示画面９５０においては、「あなたの１ヶ月の利用限度額は５００，０００円です。利用限度額以下の金額を設定してください」などのように、入力内容に対する詳細な説明が表示されている。このような説明やカード会員の利用限度額などを表示画面９５０に表示することにより、カード会員に対して、利用限度額よりも低い自己設定限度額を簡単に設定させることができる。
【０１３５】
第２のカードの作成を続行するカード会員は、選択した項目（たとえば自己設定限度額）に対する設定が完了した場合は、「ＯＫ」キーを操作して選択した項目における設定内容を確定する。設定内容を確定する操作がなされた場合、カード作成装置１２０は、選択された項目における設定内容を示す表示画面９６０を表示する。
【０１３６】
図９−６において、表示画面９６０は、表示画面９４０に対して、表示画面９５０において入力された自己設定限度額「７０，０００円」が追加して表示されている。第２のカードの作成を続行するカード会員は、表示画面９６０における該当する項目を選択した状態で「設定」キーを操作し、各項目についての設定をおこなう。
【０１３７】
第２のカードの作成を続行するカード会員は、各項目についての設定内容を確定し、該当するすべての項目についての設定内容を確定した場合に「カード作成」キーを操作する。カード作成装置１２０は、「カード作成」キーが操作された時点の各項目における設定内容に基づいて、第２のカードを作成し、作成したカードをカード発行口２０２から発行する。
【０１３８】
カード作成装置１２０は、「カード作成」キーが操作された時点において設定項目に漏れがあるか否かを判断し、第２のカードの作成に必要な項目における設定内容に誤りがある場合あるいは設定項目が不足している場合は、たとえば「自己設定限度額が利用限度額を超えています」などのエラーメッセージを表示する表示画面（図示を省略する）をディスプレイ４０４に表示してもよい。
【０１３９】
また、カード作成装置１２０は、たとえば第２のカードの暗証番号の項目に対する設定がなされていない場合は、エラーメッセージを表示せず、第１のカードの暗証番号を第２のカードの暗証番号として設定した第２のカードを作成してもよい。さらにカード作成装置１２０は、たとえば第２のカードの有効期限の項目に対する設定がなされていない場合は、第１のカードの次回の締め日や、作成日から１週間など、あらかじめ定められたデフォルトの値を第２のカードの有効期限として設定した第２のカードを作成してもよい。
【０１４０】
つぎに、第２のカードの表面の印刷例を説明する。図１０−１および図１０−２は、第２のカードの表面の印刷例を示す説明図である。図１０−１および図１０−２において、第２のカード１０１０、１０２０の表面には、たとえば第２のカード１０１０、１０２０の有効期限や、第２のカード１０１０、１０２０の有効加盟店などを示す情報が印刷されている。第２のカード１０１０、１０２０の表面に印刷する内容は、第２のカード１０１０、１０２０の作成にかかる表示画面９４０などにおいて、カード会員が任意に指定できるようにしてもよい。
【０１４１】
第２のカード１０１０、１０２０の表面に印刷する内容を、カード会員自らが指定することによって、第２のカード１０１０、１０２０の内容を忘れたり、第２のカード１０１０、１０２０を複数枚作成した場合に混乱したりすることを防止することができる。
【０１４２】
このようにして作成した第２のカード１０１０、１０２０は、第１のカードと同様に利用することができる。具体的には、たとえばクレジットカードを第１のカードとし、この第１のカードに基づいて作成された第２のカード１０１０、１０２０の有効期限を海外旅行にあわせて設定する。この場合、第１カードを海外に持って行かず、第２のカード１０１０、１０２０のみを持って行く。
【０１４３】
そして、現地での買い物や飲食にかかる費用を、第２のカード１０１０、１０２０を用いたカード決済によって支払う。カード決済による支払いは、有効期限に該当する期間内における累積の利用金額が、自己設定限度額に達するまで繰り返し利用することができる。第２のカード１０１０、１０２０は、利用限度額まで利用できる第１のカードと同様の利用方法によって自己設定限度額に達するまで繰り返し利用することができる。
【０１４４】
これにより、旅行先において、財布ごと盗まれたり第２のカード１０１０、１０２０を落としたりして紛失した第２のカード１０１０、１０２０が、悪意の第三者に不正に利用された場合にも、第２のカード１０１０、１０２０に設定された自己設定限度額が最大の損害額となる。これによって、第２のカード１０１０、１０２０の不正利用によるカード会員あるいはカードの保険会社の損害額を抑えることができる。
【０１４５】
また、第２のカード１０１０、１０２０を紛失した場合にも、不正利用がおこなわれうる期間は当該第２のカード１０１０、１０２０に設定された有効期限の間だけとなるため、損害額の拡大を抑えることができる。さらに、第２のカード１０１０、１０２０は、安価な全面磁気カードによって実現されているため、第１のカード（本来のクレジットカード）を紛失した場合のように再発行する必要がない。
【０１４６】
これによって、紛失による再発行に起因する手間などの煩わしさをなくすことができる。また、さらに、第１のカード（本来のクレジットカード）よりも厚さが薄いため、財布などがかさばらなくて済み、第２のカードにかかる持ち運びの負担や財布がかさばることによるストレスをなくすことができる。
【０１４７】
また、第２のカード１０１０、１０２０は、具体的には、たとえばカード会員の子供などに渡して、渡された子供に対して自己設定限度額の範囲内で自由に買い物をさせるような使い方ができる。これによって、子供の買い物に同行することなく子供が必要とする任意の物品を購入することができるとともに、購入後は請求書などで購入した物品や金額を確認することができるので当該子供が不要な買い物をしてしまうことを抑制できる。このような使い方をすることによって、同行することができない状況であっても子供の必要品を購入することができるとともに、子供に現金を持たせる場合よりも当該子供が犯罪に巻き込まれる危惧を減らすことが期待できる。
【０１４８】
また、具体的には、たとえば会社やサークルなどの団体での食事に際して、上司や先輩などの第１のカードに基づいて作成した第２のカード１０１０、１０２０を部下あるいは後輩に渡しておくことで、支払い時に不在であっても当該上司や先輩が飲食代の支払いを負担する（奢る）ことができる。
【０１４９】
これによって、たとえば当該上司や先輩などが食事会の終盤までいられないような事情があった場合にも、自分の飲食費や部下や後輩の飲食費の支払いを負担することができる。また、後から請求される飲食費は自己設定限度額の範囲であることがあらかじめわかっているので、飲食費の請求が想定外の高額となって請求時（引き落とし時）に支払いが滞るような不具合を防止できる・
【０１５０】
また、具体的には、たとえばカード会員が、たとえば１週間ごとのように、それぞれ異なる期限に区切った複数枚の第２のカード１０１０、１０２０を作成し、所持するような使い方をしてもよい。これによって、締め日の翌日から１週間ごとに第２のカードを１枚ずつ利用しながらカード決済をおこなう、という計画的な利用ができる。これによって、カードの使いすぎを防止するとともに、１ヶ月の期間におけるカードの利用金額を分散し、締めの期間の最初の期間に高額な買い物をしてしまい、月の後半に生活が苦しくなってしまうような偏った生活を防止できる。
【０１５１】
このように、各種の方法での利用が可能な第２のカード１０１０、１０２０を、手軽に作成できるようにしたことで、カード決済の利便性を損なうことなく、第１のカードにかかる請求金額を減らして、カードの使いすぎを抑制し、カードを安心して利用させることができる。これによって、支払いを滞らせることなく、カード利用を促進することができる。
【０１５２】
以上説明したように、この実施の形態のカード作成装置１２０は、カード会員が所有する少なくとも１枚の第１のカードを特定するカード情報を読み取り、第１のカードの暗証番号の入力および自己設定限度額に関する情報の入力を受け付ける。そして、入力された暗証番号を照合し、照合された結果、暗証番号が一致した場合に、第１のカードのカード情報、入力された暗証番号および自己設定限度額に関する情報に基づいて、第１のカードとは別の第２のカードを作成するとともに、第２のカードに関する情報を、カード会社サーバ１１０へ送信することを特徴としている。
【０１５３】
この実施の形態のカード作成装置１２０によれば、カード会員自らが自己設定限度額を設定した第２のカード１０１０、１０２０を発行することにより、第２のカード１０１０、１０２０を用いたカード決済による利用金額を自己限度額の範囲内に制限することができる。このように、第２のカード１０１０、１０２０を用いたカード決済による利用金額が利用限度額よりも少額になるように制限することにより、カードの使いすぎを抑制し、カードを安心して利用させることができる。
【０１５４】
また、第２のカード１０１０、１０２０を用いたカード決済は、第１のカードを用いたカード決済と同様におこなわれるため、現金やプリペイドカードのようにあらかじめ支払いを済ませた有価証券などを携帯することなく、カード決済をおこなうことができる。これによって、カード決済の利便性を損なうことなく、カードの使いすぎを抑制し、カードを安心して利用させることができる。
【０１５５】
さらに、この実施の形態のカード作成装置１２０によれば、第１のカードを用いて決済をおこなった場合には、第１のカードに対して設定された本来の利用限度額でのカード決済は、引き続き認可される。第１のカードを用いたカード決済は、第２のカード１０１０、１０２０の利用金額の合計と第１のカードの利用金額の合計とが、第１のカードの利用限度額に達するまでおこなうことができる。
【０１５６】
すなわち第１のカードの利用限度額自体は減額されるわけではないため、第１のカードを用いたカード決済による利便性は引き続き確保することができる。このように、この実施の形態のカード作成装置１２０によれば、カード決済の利便性を損なうことなく、カードの使いすぎを抑制し、カードを安心して利用させることができる。そして、これによってカード決済の利用促進を図ることができる。
【０１５７】
また、この実施の形態のカード作成装置１２０は、第２のカード１０１０、１０２０の有効期限に関する情報（有効期限情報）の入力を受け付け可能とし、有効期限に関する情報の入力を受け付けた場合には、入力された有効期限に関する情報に基づいて、指定された有効期限においてのみ利用可能な第２のカード１０１０、１０２０を作成することを特徴としている。この実施の形態のカード作成装置１２０によれば、第２のカード１０１０、１０２０を用いたカード決済が有効となる期間を制限することができる。
【０１５８】
これによって、たとえばカード会員が第２のカード１０１０、１０２０を紛失し、紛失した第２のカード１０１０、１０２０を悪意の第三者が不正に利用した場合にも、第２のカード１０１０、１０２０を用いたカード決済が有効となる期間が制限されているため第２のカードを用いた決済の乱発（第２のカード１０１０、１０２０の乱用）を制限することができる。
【０１５９】
また、この実施の形態のカード作成装置１２０は、第２のカード１０１０、１０２０での利用が可能な有効加盟店に関する情報（有効加盟店情報）の入力を受け付け可能とし、有効加盟店に関する情報の入力を受け付けた場合には、入力された有効加盟店に関する情報に基づいて、指定された有効加盟店においてのみ利用可能な第２のカード１０１０、１０２０を作成することを特徴としている。
【０１６０】
この実施の形態のカード作成装置１２０によれば、第２のカード１０１０、１０２０の利用を可能とする店舗を制限することができる。これによって、たとえばカード会員が第２のカード１０１０、１０２０を紛失し、紛失した第２のカード１０１０、１０２０を悪意の第三者が不正に利用した場合にも、第２のカード１０１０、１０２０を用いたカード決済が有効となる店舗が制限されているため第２のカード１０１０、１０２０を用いた決済の乱発（第２のカード１０１０、１０２０の乱用）を制限することができる。
【０１６１】
また、この実施の形態のカード作成装置１２０は、第２のカード１０１０、１０２０での利用が可能な有効地域に関する情報（有効地域情報）の入力を受け付け可能とし、有効地域に関する情報の入力を受け付けた場合には、入力された有効地域に関する情報に基づいて、指定された有効地域においてのみ利用可能な第２のカード１０１０、１０２０を作成することを特徴としている。
【０１６２】
この実施の形態のカード作成装置１２０によれば、第２のカード１０１０、１０２０の利用を可能とする地域を制限することができる。これによって、たとえばカード会員が第２のカード１０１０、１０２０を紛失し、紛失した第２のカード１０１０、１０２０を悪意の第三者が不正に利用した場合にも、第２のカード１０１０、１０２０を用いたカード決済が有効となる地域が制限されているため第２のカード１０１０、１０２０を用いた決済の乱発（第２のカード１０１０、１０２０の乱用）を制限することができる。
【０１６３】
また、この実施の形態のカード作成装置１２０は、第１のカードの暗証番号とは異なる第２のカード１０１０、１０２０の暗証番号の入力を受け付け、第２のカード１０１０、１０２０の暗証番号が入力された場合のみ利用可能な第２のカード１０１０、１０２０を作成することを特徴としている。
【０１６４】
この実施の形態のカード作成装置１２０によれば、第２のカード１０１０、１０２０は第１のカードの完全なコピーではないので、第２のカード１０１０、１０２０の利用者を、第２のカード１０１０、１０２０の暗証番号を知っている者のみに制限することができる。これによって、たとえばカード会員が第２のカード１０１０、１０２０を紛失し、紛失した第２のカード１０１０、１０２０を悪意の第三者が不正に利用した場合にも、第２のカード１０１０、１０２０を用いたカード決済が有効となる地域が制限されているため第２のカード１０１０、１０２０を用いた決済の乱発（第２のカード１０１０、１０２０の乱用）を制限することができる。
【０１６５】
あるいは、この実施の形態のカード作成装置１２０においては、第１のカードの暗証番号とは異なる第２のカード１０１０、１０２０の暗証番号の入力を受け付け、第１のカードの暗証番号と第２のカードの暗証番号との両方が入力された場合のみ利用可能な前記第２のカードを作成することができる。
【０１６６】
この実施の形態のカード作成装置１２０によれば、第２のカードは第１のカードの完全なコピーではなく、第２のカード１０１０、１０２０の利用に際しては、第１のカードおよび第２のカード１０１０、１０２０の２枚分の暗証番号が必要になるので、第２のカードの利用者を確実に制限することができる。
【０１６７】
また、この実施の形態のカード作成装置１２０は、第２のカード１０１０、１０２０の所定の記録領域に所定のデータを書き込む書込部７０９ａと、第２のカード１０１０、１０２０の少なくとも片面に、所定の文字または画像を印刷する印刷部７０９ｂと、からなることを特徴としている。
【０１６８】
この実施の形態のカード作成装置１２０によれば、第２のカード１０１０、１０２０を用いたカード決済に際しては所定の記録領域に書き込まれた所定のデータに基づいて不正使用を防止するとともに、第２のカード１０１０、１０２０に印刷した所定の文字または画像によってカード会員自身に対してカードの正偽を容易に判別させることができる。
【０１６９】
これによって、１枚の第１のカードに対して、第２のカード１０１０、１０２０を複数枚作成した場合にも、それぞれの第２のカード１０１０、１０２０を容易に判別することができ、カード決済に際して迷ったり、意図した第２のカード１０１０、１０２０とは別の第２のカード１０１０、１０２０を使用してしまったりすることを防止できる。
【０１７０】
また、この実施の形態のカード作成装置１２０は、第２のカード１０１０、１０２０に書き込まれた所定のデータを消去する消去部７１０を備えたことを特徴としている。
【０１７１】
この実施の形態のカード作成装置１２０によれば、第２のカード１０１０、１０２０に関する情報を書き込んだ全面磁気カードを、第２のカード１０１０、１０２０として発行する前の初期状態に戻すことができる。これによって、第２のカード１０１０、１０２０を実現する全面磁気カードなどのカード媒体を繰り返して利用することができる。
【０１７２】
たとえば、カード作成システム１００の運用上、第２のカード１０１０、１０２０の発行をデポジット制とし、作成した第２のカード１０１０、１０２０に対して少額の預かり金を加算するようにしてもよい。そして、このような運用をおこなう場合、有効期限が切れた第２のカード１０１０、１０２０や、自己設定限度額に達した第２のカード１０１０、１０２０などを、カード作成装置１２０に戻した場合に預かり金を返金することによって、使用済みの第２のカード１０１０、１０２０の回収率および再利用率を高めることができる。返金は、第２のカード１０１０、１０２０に書き込まれた情報に基づいて特定されるカード会員の口座に返金したり、次回の請求金額を減額したり、現金で直接返金してもよい。
【０１７３】
また、この実施の形態の携帯型通信端末装置は、カード作成装置１２０を備えた、あるいは当該カード作成装置１２０が接続可能なことを特徴としている。この実施の形態の携帯型通信端末装置によれば、携帯型通信端末装置を用いて第２のカード１０１０、１０２０を作成することができるので、第２のカード１０１０、１０２０の発行場所を制限することなく、必要に応じて適宜第２のカード１０１０、１０２０を作成することができる。
【０１７４】
これによって、カード会員は、第２のカード１０１０、１０２０の必要性を感じた時に直ちに第２のカード１０１０、１０２０を作成することができ、第２のカード１０１０、１０２０によるカード決済による上記の各種の利便性を十分に発揮させることができる。
【０１７５】
なお、この実施の形態で説明したカード作成方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１７６】
以上のように、この発明にかかるカード作成装置、携帯型通信端末装置、カード作成方法およびカード作成プログラムは、カードの利用を支援するカード作成装置、携帯型通信端末装置、カード作成方法およびカード作成プログラムに有用であり、特に、カードを利用する状況に応じた支援をおこなうカード作成装置、携帯型通信端末装置、カード作成方法およびカード作成プログラムに適している。
【符号の説明】
【０１７７】
１００  カード作成システム
１１０  カード会社サーバ
１２０  カード作成装置
７０１  第１カード情報読取部（カード情報読取部）
７０２  第１暗証番号入力部（暗証番号入力部）
７０３  暗証番号照合部
７０４  利用可能金額情報入力部
７０５  有効期限情報入力部
７０６  有効加盟店情報入力部
７０７  有効地域情報入力部
７０８  第２暗証番号入力部（第２の暗証番号入力部）
７０９  第２カード作成部（カード作成部）
７１０  消去部
７１１  第２カード情報送信部（送信部）
【図１】
2010277498.tif 000003
【図２】
2010277498.tif 000004
【図３】
2010277498.tif 000005
【図４】
2010277498.tif 000006
【図５】
2010277498.tif 000007
【図６】
2010277498.tif 000008
【図７】
2010277498.tif 000009
【図８】
2010277498.tif 000010
【図９−１】
2010277498.tif 000011
【図９−２】
2010277498.tif 000012
【図９−３】
2010277498.tif 000013
【図９−４】
2010277498.tif 000014
【図９−５】
2010277498.tif 000015
【図９−６】
2010277498.tif 000016
【図１０−１】
2010277498.tif 000017
【図１０−２】
2010277498.tif 000018